(57)【特許請求の範囲】
【請求項１】
袋体と、袋体内側に設けられた付着手段と、袋体内側に固定されることで付着手段に間接に固定された把持手段とを備え、
把持手段を把持し袋体から引き出すことにより付着手段を袋体内部から引き出し可能に構成してなり、
前記把持手段の前記袋体への固定位置から前記付着手段の前記袋体への固定位置までの距離が、前記把持手段の前記袋体への固定端から前記把持手段の自由端までの長さより離れている釣用ごみ入れ。
【請求項２】
衣服本体に取り付けられた袋体と、袋体内側に設けられた付着手段と、袋体内側に固定されることで付着手段に間接に固定された把持手段とを備え、
把持手段を把持し袋体から引き出すことにより付着手段を袋体内部から引き出し可能に構成してなり、
前記把持手段の前記袋体への固定位置から前記付着手段の前記袋体への固定位置までの距離が、前記把持手段の前記袋体への固定端から前記把持手段の自由端までの長さより離れている釣用ごみ入れを備えてなる、釣用衣服。
【発明の詳細な説明】
【０００１】
【発明の属する技術分野】
本発明は釣り用ごみ入れに係り、特に、不要となった釣糸等のごみを一時的に入れておくための釣用ごみ入れの改良及びこれを備えた衣服に関する。
【０００２】
【従来の技術】
従来この種のごみ入れとして、「フィッシングベスト」と題する特願平７−３０３２２２号が存在する。このごみ入れは釣りに際して着用されるベストに設けられ、ダストポケットと、このダストポケットに取付けられたごみ取付具とを備えている。これにより、釣糸等のごみをダストポケット内に付着させ、ごみの収納を容易にしている。さらに、この例では、ダストポケットを裏返すことにより、ごみの取出しを容易にすることも提案されている。
【０００３】
しかし、従来のごみ入れでは、ごみを取り出すためにダストポケットを裏返すことが、必ずしも容易ではなかった。また、もし、不要となった釣針を釣糸と一緒にダストポケットに入れると、ポケットを裏返そうとポケットの中をまさぐるうちに、釣針で手を傷つけてしまう危険もあった。
【０００４】
【発明が解決しようとする課題】
本発明の目的は、ごみを袋体から容易に取出すことのできる釣用ごみ入れを提供することである。
【０００５】
また、本発明の他の目的は、ごみを袋体から容易に取出すことのできる釣用ごみ入れを備えた、釣用の衣服を提供することである。
【０００７】
【課題を解決するための手段】
上記目的を達成するために、本発明の釣用ごみ入れは、袋体と、袋体内側に設けられた付着手段と、袋体内側に固定されることで付着手段に間接に固定された把持手段とを備え、把持手段を把持し袋体から引き出すことにより付着手段を袋体内部から引き出し可能に構成してなり、前記把持手段の前記袋体への固定位置から前記付着手段の前記袋体への固定位置までの距離が、前記把持手段の前記袋体への固定端から前記把持手段の自由端までの長さより離れていることを特徴とする。
【０００８】
さらに、前記把持手段が前記付着手段に対し付着しないように構成したものでも良い。
【０００９】
さらにまた、袋体内側の奥部に設けられた把持手段を把持し袋体から引き出すことにより袋体を裏返し可能に構成したものでも良い。
【００１０】
また、前記袋体を滑らかな素材で構成し、前記袋体を収納する袋体収納部を更に備えたものでも良い。
【００１１】
また、前記袋体の開口部近傍に、開口部の口を広げるためのつまみを取り付けたものでも良い。
【００１２】
また、本発明の釣用衣服は、衣服本体に取り付けられた袋体と、袋体内側に設けられた付着手段と、袋体内側に固定されることで付着手段に間接に固定された把持手段とを備え、把持手段を把持し袋体から引き出すことにより付着手段を袋体内部から引き出し可能に構成してなり、前記把持手段の前記袋体への固定位置から前記付着手段の前記袋体への固定位置までの距離が、前記把持手段の前記袋体への固定端から前記把持手段の自由端までの長さより離れている釣用ごみ入れを備えてなることを特徴としている。
【００１３】
【発明の実施の形態】
次に、本発明の実施の形態について図面を参照しながら説明する。図１は、本発明の１実施形態に係る釣用ごみ入れを備えた釣用衣服を示した正面図である。図２は、この釣用ごみ入れの袋体の内部を一部切り欠いて示す正面図である。
【００１４】
図１では、釣用衣服の一例であるフィッシングベスト１の左前身頃に、釣用ごみ入れ２が設けられている。釣用ごみ入れ２は、袋体４と、付着手段６と、把持手段であるひも８とを備え、更につまみ９を備えている。
【００１５】
袋体４は、略長方形のベスト表地側布４１とベスト裏地側布４２とを縫い合せて形成されている。縫い合せは三方でなされており、この三方は外部に対して閉じられているが、残りの一方（着用者から見て袋体４の右端）は開口部４３となっている。また、開口部４３は、フィッシングベスト１に対して固定されているが、袋体４の開口部４３以外の部分は、フィッシングベスト１に対して固定されていない。
【００１６】
付着手段６としては、本実施形態ではベルクロ（のオス側）又はマジックテープが使われているが、ごみ、特に釣糸を付着（ないし吸着）させることができるものであれば、他の手段でもよい。
【００１７】
付着手段６は、袋体４の内面、特に、ベスト裏地側布４２の部分に縫付け固定される。ベスト裏地側布４２は、ごみを袋体４に収納するために袋体４に片手を挿入すると（本実施形態では右手が挿入しやすい）、その手のひら側が触れる部分である。そのため、ここに付着手段６を縫い付けることにより、ごみを付着させやすくなっている。もっとも、更にベスト表地側の布４１にも付着手段を縫いつけることは差し支えない。
【００１８】
付着手段６は、袋体４のベスト裏地側の布４２の全面にわたるほど大きなものである必要はない。むしろそれより小さくし、袋体４の奥の方に片寄った位置に縫い付け、当該奥の方に釣糸等のごみを付着させた方が、収納されたごみの一部が袋体４の開口部４３からはみ出ることを防止することができる。本実施形態では、付着手段６が、袋体の奥部から約５分の３のところまでに亘って設けられている。この結果、袋体４の開口部４３から奥に向かって約５ｃｍ以上に亘り、付着手段６が設けられていない領域が存在する。
【００１９】
また、付着手段６は、袋体４の上の方には設けられる必要はない。むしろ、ごみは袋体４の下の方に溜まりやすいので、好ましくは袋体４の下の方に縫い付けられている方が良い。本実施形態では、付着手段６が、袋体４の下部から約３分の２のところまでに亘って設けられている。
【００２０】
把持手段であるひも８は、その一端（固定端）８１が袋体内面の最も奥の位置に縫い付け固定されている。また、袋体４においてひも８が縫い付けられている位置から付着手段６が縫い付けられている位置までの距離が、ひも８の袋体４に縫い付けられている固定端８１からひも８のもう一方の端（自由端）８２までの長さより、短くなっている。これにより、ひも８が付着手段６に付着することを防止し、使用者がひも８を把持しやすいようにすることができる。
【００２１】
なお、把持手段が付着手段に対し付着しにくいように、両者の材質を選択すれば（例えば把持手段をゴム製又はビニル製のひもとする等）、把持手段の付着手段への付着を防止するために把持手段の付着手段からの距離と把持手段の長さとを考慮する必要はない。この場合、例えば、把持手段を長くして、その自由端（ひも８の場合は自由端８２）が袋体４の開口部４３付近まで及ぶようにすれば、袋体内部に深く手を入れるまでもなく、付着手段を外へ引き出すことができる。
【００２２】
つまみ９は、袋体４の開口部４３付近、特にベスト表地側の開口部の中央に、設けられている。つまみ９は、布製の小片の一端が開口部４３付近に縫い付け固定されて形成されている。
【００２３】
なお、開口部４３は、ファスナーで開閉できるようにしても良いが、むしろごみの出し入れに便利なように、ファスナーを設けないで常に開放状態にする方が好ましい。
【００２４】
つぎに、この実施形態に係る釣用ごみ入れ及びこれを備えた釣用衣服の作用及び使用方法を説明する。フィッシングベスト１の着用者が不要となった釣糸等のごみを釣用ごみ入れ２に収納したいときは、ごみを右手に持ち、袋体４の中に入れる。袋体４の中で右手を開き、ごみを放し（必要に応じて付着手段６に押し付け）、右手を袋体４から出せば、ごみを袋体４の中に収納することができる。なお、この際、つまみ９を左手で持って開口部４３を広げれば、よりごみの収納が容易になる。
【００２５】
着用者は、収納されたごみを捨てるとき（例えば帰宅後）、袋体４の中に手を挿入し、把持手段であるひも８をつかみ、ひも８を袋体４の外まで引っ張る。本実施形態ではひも８の固定端８１は袋体４の内面に固定され、袋体４は開口部４３以外はフィッシングベスト１に固定されていないので、袋体４全体が裏返しになり、開口部４３を通って外に引っ張り出される。こうすると付着手段６に付着したごみを取り除いて捨てるのは極めて容易である。
【００２６】
このように、着用者はひも８を探り当てて引っ張れば良いので、袋体４を裏返すのが容易であり、仮に袋体４に釣針が入っていたとしても、けがをする危険は少ない。
【００２７】
なお、以上の実施態様は、釣用ごみ入れをフィッシングベストのポケットとして構成した場合について説明したが、本発明はこれに限定されるものではない。例えば、釣用ごみ入れを釣り具収納バッグのポケットとして構成しても良いし、釣用ごみ入れに、他の物品（例えばズボン、腰のベルト、防寒具等）に対する取付け手段を設け、どんな服装で釣りをする場合でも釣用ごみ入れを持ち歩き、随時ごみを入れられるようにすることも可能である。
【００２８】
袋体の形状は、本実施形態では略長方形であったが、本発明はこれに限らず、三角形としたり、袋体奥部を半円状とする等、他の形状でも良い。なお、袋体の形状いかんに関わらず、袋体の裏返しを容易にするため、把持手段は袋体の最奥部に設けるのが好ましい。
【００２９】
また、本実施形態では付着手段を袋体ごと引き出す例を説明したが、本発明はこれに限らず、把持部を付着手段に直接固定するとともにその付着手段を袋体内側に着脱自在に設けることとしても良い。この場合、ごみを取り出す際にはポケットを裏返すことなく、把持部を引いて付着手段のみをポケットから引き出すようになる。
【００３０】
さらに、袋体を収納する袋体収納部を備えた釣用ごみ入れを構成する場合（例えばフィッシングベストに袋体収納部を設け、そこに袋体を収納する場合）、袋体を外へ引き出すには袋体と袋体収納部との間の摩擦が少ない方が良い。ところが釣用衣服、特に渓流釣り等に使われるフィッシングベスト等には、通常、魚に対して目立たないように、光沢のない材質が選択され、そのような材質を使うと往々にして摩擦が大きくなる。そこで、釣りの際に外に出されることのない袋体にだけは、滑らかな材質を使い、これによって、袋体収納部との摩擦を減らし、ごみの取出しが一層容易な釣用ごみ入れを得ることができる。
【００３１】
【発明の効果】
以上説明したように、本発明によれば、釣用ごみ入れにおいて、ごみを袋体から容易に取出すことができる。また、本発明によれば、ごみを袋体から容易に取出すことのできる釣用ごみ入れを備えた、釣用の衣服を得ることができる。
【図面の簡単な説明】
【図１】  本発明の１実施形態に係る釣用ごみ入れを備えた釣用衣服を示した正面図である。
【図２】  釣用ごみ入れの袋体の内部を一部切り欠いて示す正面図である。
【符号の説明】
１          フィッシングベスト（釣用衣服）
２          釣用ごみ入れ
４          袋体
６          ベルクロ又はマジックテープ（付着手段）
８          ひも（把持手段）
９          つまみ
【図１】
0003924063.tif 000002
【図２】
0003924063.tif 000003